(57)【要約】【課題】装置構成が単純で設置コストも低く、トレーニング者が気軽に利用することができる歩行用トレーニング装置を提供する。【解決手段】トレーニング者は、トレーナーから指示を受けながら、歩行用トレーニング装置１の歩行トレーニング用パネル２上(表面２ａ)に上り、上記したようにハッチング区画２０ａまたは白区画２０のみを目標として歩行訓練を行う。この場合、トレーニング者は、歩行訓練を開始した区画２０から直線方向にハッチング区画２０ａまたは白区画２０に対して交互に左右の足を進めることにより、その歩行パターンが案内される【選択図】図１
2008000546.tif 000002
【特許請求の範囲】
【請求項１】
歩行のトレーニングに用いる歩行用トレーニング装置であって、
トレーニング用の歩行範囲を設定する板状部材を備え、
前記板状部材の表面を所定形状の複数の区画に分割し、該区画毎にトレーニング用の歩行パターンを案内する色を設定したことを特徴とする歩行用トレーニング装置。
【請求項２】
前記板状部材の表面を矩形状の複数の区画に分割し、該矩形区画毎にトレーニング用の歩行パターンを案内する色を設定し、該色設定により複数種類の歩行パターンを案内するようにしたことを特徴とする請求項１記載の歩行用トレーニング装置。
【請求項３】
前記色設定により複数種類の歩行パターンを案内する歩行領域を複数設定したことを特徴とする請求項１または２に記載の歩行用トレーニング装置。
【請求項４】
トレーニング者の歩行を補助する補助器具を前記板状部材の所定位置に更に設置したことを特徴とする請求項１から３のいずれかに記載の歩行用トレーニング装置。
【請求項５】
トレーニング者の体格や歩行能力に応じて歩行を補助する複数の補助器具を前記板状部材の所定位置に更に設置したことを特徴とする請求項１から３のいずれかに記載の歩行用トレーニング装置。
【発明の詳細な説明】
【技術分野】
【０００１】
本発明は、高齢者の健康増進や、病気あるいは負傷後の機能回復訓練等に好適な歩行用トレーニング装置に関する。
【背景技術】
【０００２】
従来、高齢者の健康増進や、病気あるいは負傷後の機能回復訓練等に歩行訓練が実施されている。歩行訓練を行うトレーニングシステムとしては、例えば、特許文献１に記載されたトレーニングシステムがある。このトレーニングシステムでは、出発確認装置、表示制御装置、ペース表示装置、到着確認装置、コンピュータ等を備え、訓練対象者がペース表示装置の設置区間を通過する間に適切な歩行ペースを学習し体得した後、そのペースを維持しながら訓練コースを歩行するトレーニング形態を採っている。
【特許文献１】特開平９−２７１４９７号公報
【発明の開示】
【発明が解決しようとする課題】
【０００３】
しかしながら、上記従来のトレーニングシステムでは、トレーニング用の機器が多数必要であり、トレーニングシステムの設置条件が限定されると共に、設置コストも高価であるという問題がある。また、上記従来のトレーニングシステムでは、システム構成が複雑である為、専門の操作者も必要であり、訓練対象者がトレーニングシステムを気軽に利用することができないという問題もある。
【０００４】
本発明は、斯かる実情に鑑み、装置構成が単純で設置コストも低く、トレーニング者が気軽に利用することができる歩行用トレーニング装置を提供することを目的とする。
【課題を解決するための手段】
【０００５】
本発明の歩行用トレーニング装置は、歩行のトレーニングに用いる歩行用トレーニング装置であって、トレーニング用の歩行範囲を設定する板状部材を備え、前記板状部材の表面を所定形状の複数の区画に分割し、該区画毎にトレーニング用の歩行パターンを案内する色を設定したことを特徴とする。
【０００６】
この発明によれば、装置構成が単純で設置コストも低く、トレーニング者が気軽に利用することができる歩行用トレーニング装置を提供することができる。
【０００７】
また、本発明の歩行用トレーニング装置は、前記板状部材の表面を矩形状の複数の区画に分割し、該矩形区画毎にトレーニング用の歩行パターンを案内する色を設定し、該色設定により複数種類の歩行パターンを案内するようにしたことを特徴とする。
【０００８】
この発明によれば、トレーニング者が容易に歩行訓練を行うことができる。
【０００９】
また、本発明の歩行用トレーニング装置は、前記色設定により複数種類の歩行パターンを案内する歩行領域を複数設定したことを特徴とする。
【００１０】
この発明によれば、トレーニング用の複数種類の歩行パターンを容易に設定することができ、トレーニング者が体格や歩行能力に適した歩行訓練を行うことができる。
【００１１】
また、本発明の歩行用トレーニング装置は、トレーニング者の歩行を補助する補助器具を前記板状部材の所定位置に更に設置したことを特徴とする。
【００１２】
この発明によれば、トレーニング者が自立して歩行訓練を行うことが困難な場合は、補助器具を利用することにより、歩行の補助を受けながら歩行訓練を行うことができる。
【００１３】
また、本発明の歩行用トレーニング装置は、トレーニング者の体格や歩行能力に応じて歩行を補助する複数の補助器具を前記板状部材の所定位置に更に設置したことを特徴とする。
【００１４】
この発明によれば、トレーニング者の体格や歩行能力に応じた補助器具を利用できるため、自立して歩行訓練が困難なトレーニング者も気軽に歩行訓練を行うことができる。
【発明の効果】
【００１５】
本発明の請求項１〜５記載の歩行用トレーニング装置によれば、装置構成が単純で設置コストも低く、トレーニング者が気軽に利用することができる歩行用トレーニング装置を提供することができる。
【発明を実施するための最良の形態】
【００１６】
以下、本発明の実施の形態について添付図面を参照して説明する。
【００１７】
(実施の形態１)
【００１８】
図１は、本発明を適用した歩行用トレーニング装置の全体構成を示す外観斜視図である。図１において、歩行用トレーニング装置１は、トレーニング用の歩行範囲を設定する方形状の歩行トレーニング用パネル２と、トレーニング者の体格や歩行能力に応じて歩行トレーニング用パネル２上に設置された複数の手すり３〜５と、を備えている。
【００１９】
歩行トレーニング用パネル２は、その表面２ａが矩形状の複数の区画２０に区切られており、その区画２０毎にトレーニング用の歩行パターンを案内する色が設定されている。図中では、各区画２０がハッチング区画２０ａと白区画２０ｂに色分けした場合を示している。トレーニング者は、色分けされた区画、すなわち、図中のハッチング区画２０ａまたは白区画２０ｂのみを目標として歩行して歩行訓練を行うことになる。
【００２０】
なお、図中では、区画の一部に符号２０(２０ａ，２０ｂ)を示しているが、他の区画については符号２０(２０ａ，２０ｂ)の図示を省略している。
【００２１】
手すり３〜５は、それぞれ設置面からの高さが異なる。手すり３の高さをｈ１、手すり４の高さをｈ２、手すり５の高さをｈ３とすると、ｈ１＞ｈ２＞ｈ３の順に設定されている。これらの手すり３〜５の各高さ設定は、トレーニング者の体格(身長等)や歩行能力に応じて歩行を補助する際に適した各高さに設定されている。
【００２２】
次に、健康増進や、病気あるいは負傷後の機能回復訓練等のために歩行訓練を必要とするトレーニング者が、図１の歩行用トレーニング装置１を利用して歩行トレーニングを行う場合について説明する。なお、歩行用トレーニング装置１が設置可能な場所としては、例えば、病院内の機能回復部屋、スポーツ施設、公園等があるが、その設置場所を特に限定するものではない。
【００２３】
トレーニング者は、トレーナーから指示を受けながら、歩行トレーニング用パネル２上(表面２ａ)に上り、上記したようにハッチング区画２０ａまたは白区画２０のみを目標として歩行訓練を行う。この場合、トレーニング者は、歩行訓練を開始した区画２０から直線方向にハッチング区画２０ａまたは白区画２０に対して交互に左右の足を進めることにより、その歩行パターンが案内されることになる。
【００２４】
また、トレーニング者が自立して歩行訓練を行うことが困難な場合は、トレーニング者の体格及び歩行能力に適した手すり３〜５を利用し、手すり３〜５の設置場所近くのハッチング区画２０ａまたは白区画２０を利用することにより、歩行の補助を受けながら歩行訓練を行うことができる。
【００２５】
以上のように、本実施の形態１の歩行用トレーニング装置によれば、その構成が単純で設置コストも低く抑えることができる。また、歩行トレーニング用パネル表面の区分された区画に設定された色により、トレーニング者の歩行パターンが案内されるように構成されているため、トレーニング者は気軽に歩行用トレーニング装置を利用することができる。さらに、トレーニング者の体格や歩行能力に適した補助器具として、複数の手すりを設置したため、自立して歩行訓練が困難なトレーニング者も気軽に歩行訓練を行うことができる。
【００２６】
なお、図１では、歩行トレーニング用パネル２上に３台の手すり３〜５を設置した場合を示したが、その設置台数を限定するものではなく、必要に応じて設置場所や設置台数を変更しても良い。例えば、図２に示すように、歩行トレーニング用パネル２上の四辺に各々３台、合計１２台の手すり２１を設置するようにしても良い。また、手すりの高さ設定も上記３種類に限定するものではなく、必要に応じて任意に変更しても良い。
【００２７】
(実施の形態２)
【００２８】
図３は、本発明を適用した歩行用トレーニング装置の全体構成を示す平面図である。図３において、歩行用トレーニング装置３０は、トレーニング用の歩行範囲を設定する方形状の歩行トレーニング用パネル３１を備えている。歩行トレーニング用パネル３１は、その表面３１ａが矩形状の複数の区画３２に区切られており、その区画３２毎にトレーニング用の歩行パターンを案内する色が設定されている。図中では、各区画３２がハッチング区画３２ａと白区画３２ｂに色分けした場合を示している。
【００２９】
なお、図中では、区画の一部に符号３２(３２ａ，３２ｂ)を示しているが、他の区画については符号３２(３２ａ，３２ｂ)の図示を省略している。
【００３０】
また、歩行トレーニング用パネル３１は、色分けした区画３２の配置パターンを４種類設けており、これらの異なる各配置パターンの領域を図中では歩行領域Ａ〜Ｄとして示している。
【００３１】
歩行領域Ａは、２列分の区画３２にハッチング区画３２ａと白区画３２ｂを交互に配置し、トレーニング者がハッチング区画３２ａまたは白区画３２ｂを目標にして左右の足を進めることにより、ハッチング区画３２ａまたは白区画３２ｂの配置間隔の歩幅で歩行訓練を行う領域である。この歩行領域Ａにおける歩行パターンは、「通常歩行(歩行パターンＡ)」と呼ぶものとする。
【００３２】
歩行領域Ｂは、２列分の区画３２に白区画３２ｂを３区画分おいてハッチング区画３２ａを交互に配置し、トレーニング者がハッチング区画３２ａを目標にして左右の足を進めることにより、ハッチング区画３２ａの配置間隔、すなわち、歩行領域Ａの２倍の歩幅で歩行訓練を行う領域である。この歩行領域Ｂにおける歩行パターンは、「１マス飛ばし歩行(歩行パターンＢ)」と呼ぶものとする。
【００３３】
歩行領域Ｃは、２列分の区画３２に白区画３２ｂを５区画分おいてハッチング区画３２ａを交互に配置し、トレーニング者がハッチング区画３２ａを目標にして左右の足を進めることにより、ハッチング区画３２ａの配置間隔、すなわち、歩行領域Ａの３倍の歩幅で歩行訓練を行う領域である。この歩行領域Ｃにおける歩行パターンは、「２マス飛ばし歩行(歩行パターンＣ)」と呼ぶものとする。
【００３４】
歩行領域Ｄは、３列分の区画３２のうち、中列の区画３２を全て白区画３２ａとし、左右列の区画３２を白区画３２ｂを３区画分おいてハッチング区画３２ａを交互に配置し、トレーニング者がハッチング区画３２ａを目標にして左右の足を進めることにより、ハッチング区画３２ａの配置間隔、すなわち、歩行領域Ａの２倍の歩幅かつ両足を広げた状態で歩行訓練を行う領域である。この歩行領域Ｄにおける歩行パターンは、「開脚１マス飛ばし歩行(歩行パターンＤ)」と呼ぶものとする。
【００３５】
これら歩行領域Ａ〜Ｄと同様の歩行領域を、図中の１列分の白領域を置いて右側にも設けている。
【００３６】
トレーニング者は、トレーナーから指示を受けながら、歩行トレーニング用パネル２上(表面２ａ)に上り、上記したように歩行領域Ａ〜Ｄにおいて歩行訓練を行う。この場合、トレーニング者は、歩行訓練を開始した歩行領域Ａ〜Ｄから直線方向にハッチング区画２０ａまたは白区画２０に対して交互に左右の足を進めることにより、その歩行パターンＡ〜Ｄが案内されることになる。
【００３７】
以上のように、本実施の形態２の歩行用トレーニング装置によれば、その構成が単純で設置コストも低く抑えることができる。また、歩行トレーニング用パネル表面の区分された区画に設定された色により、トレーニング者の複数種類の歩行パターンＡ〜Ｄが案内されるように構成されているため、トレーニング者は気軽に歩行用トレーニング装置を利用して、複数種類の歩行訓練を実行することができる。
【００３８】
なお、図３では、歩行トレーニング用パネル３１上に、図１と同様に歩行の補助器具として手すりを設置するようにしても良い。手すりを設置することにより、自立して歩行訓練が困難なトレーニング者も気軽に歩行訓練を行うことができる。
【００３９】
また、図３では、４種類の歩行領域Ａ〜Ｄを設定した場合を示したが、その歩行領域の種類を限定するものではなく、その他の歩行パターンを設定する歩行領域を設定するようにしても良い。
【００４０】
また、上記図１及び図３では、歩行パターンを設定する区画の色分けを、ハッチングと白の２種類を設定した場合を示したが、更に多くの色(例えば、３色以上)を設定して、その色分けにより、複数種類の歩行パターンを設定するようにしても良い。この場合、上記図１及び図３に示したように、列方向の色分けだけでなく、行方向の色分け設定を変更するようにすれば、歩行する方向が１方向(図中の縦方向)だけでなく２方向(縦方向と横方向)にも歩行パターンを設定することが可能になり、複数のトレーニング者がより効率的に歩行訓練を行うことが可能になる。
【００４１】
なお、上記実施の形態１、２では、歩行トレーニング用パネル２または３１の表面を区画２０または３２で区切り色分けする場合を示したが、これらの構成に限るものではなく、例えば、図４に示すような構成としてもよい。
【００４２】
図４は、歩行トレーニング用パネル４０の部分構成を示す断面図である。図４において、歩行トレーニング用パネル４０は、３層構造になっており、一番下がアスファルト等から形成された基礎層４１、その上がモルタル等から形成された中間層４２、その上がコンクリート板等から形成された上層４３から形成されている。上層４３には、上記区画に相当する矩形状のコンクリート板４３ａが複数配置されている。
【００４３】
コンクリート板４３ａの表面には、足裏マッサージ等に効果を発揮する粒径の石４４が複数埋め込まれている。また、歩行トレーニング用パネル４０の周辺部には縁石４５が敷かれている。図中では、石４４を埋め込んだコンクリート板４３ａを３枚敷き詰めた場合を示しているが、石４４を埋め込まないコンクリート板(図示省略)と交互に施設するようにすれば、上記色分けした区画と同様の構成とすることができ、石４４を埋め込んだ区画を目標にして歩行トレーニングを実行することが可能になる。また、このような構成とすることにより、歩行トレーニングとともに足裏マッサージの効果も同時に発揮する歩行用トレーニング装置を提供することができる。
【００４４】
尚、本発明の歩行用トレーニング装置は、上記した実施の形態に限定されるものではなく、本発明の要旨を逸脱しない範囲内において種々変更を加え得ることは勿論である。
【産業上の利用可能性】
【００４５】
本発明の歩行用トレーニング装置は、装置構成が単純で設置コストが低く、トレーニング者が気軽に利用することが要求される歩行用のトレーニング装置等に適用することができる。
【図面の簡単な説明】
【００４６】
【図１】本発明の実施の形態１に係る歩行用トレーニング装置の全体構成を示す外観斜視図である。
【図２】本実施例１に係る手すりの設置台数を変更した場合の歩行用トレーニング装置の構成を示す平面図である。
【図３】本発明の実施の形態２に係る歩行用トレーニング装置の全体構成を示す平面図である。
【図４】本発明の他の実施の形態に係る歩行用トレーニング装置の部分構成を示す断面図である。
【符号の説明】
【００４７】
１、３０  歩行用トレーニング装置
２、３１  歩行トレーニング用パネル
２ａ、３１ａ  表面
３、４、５、２１  手すり
２０、３２  区画
２０ａ、３２ａ  ハッチング区画
２０ｂ、３２ｂ  白区画
【図１】
2008000546.tif 000003
【図２】
2008000546.tif 000004
【図３】
2008000546.tif 000005
【図４】
2008000546.tif 000006